【手続補正書】
【提出日】平成28年7月15日(2016.7.15)
【手続補正１】
【補正対象書類名】明細書
【補正対象項目名】０００１
【補正方法】変更
【補正の内容】
【０００１】
本発明は、遊技球が流下可能な遊技領域と、遊技を制御する遊技制御手段と、を備える遊技機に関する。
【手続補正２】
【補正対象書類名】明細書
【補正対象項目名】０００２
【補正方法】変更
【補正の内容】
【０００２】
従来、始動条件の成立に基づいて識別図柄を変動表示させる変動表示ゲームを行い、変動表示ゲームの結果が大当りとなることで遊技者に利益を付与する遊技機が知られている。このような遊技機では、大当りの種類として、大入賞口を所定時間開放して多量の賞球を獲得可能とする大当り（例えば１５Ｒ大当り）の他、大入賞口は短時間開放するのみとして変動表示ゲームで大当りとなる確率を変化させるための大当り（例えば２Ｒ大当り、いわゆる突確、突通など）が設定された遊技機がある。さらに、大入賞口を短時間開放する大当りと類似した当選演出を行い、当選後の遊技の確率状態を曖昧にすることを可能とする小当りを搭載する遊技機もある。このような遊技機においては、小当りの当選を契機に演出や変動パターンを変化させて遊技の興趣を高めるようにしている（例えば、特許文献１、２参照）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２００７−１３５７００号公報
【特許文献２】特開２０１０−２８４２９８号公報
【手続補正５】
【補正対象書類名】明細書
【補正対象項目名】０００５
【補正方法】変更
【補正の内容】
【０００５】
しかし、大入賞口を短時間開放する大当りに当選しても、得られるものはわずかな賞球しかないため、興趣を感じることができなかった。また、小当りに当選しても演出上の変化があるのみで、遊技者に有利な状態（確率変動）とはならず、大入賞口の開閉時間もごく短いので入賞させることは困難であり、得られるものはわずかな賞球しかないため、小当りに対して遊技者は興趣を感じることができなかった。
【手続補正６】
【補正対象書類名】明細書
【補正対象項目名】０００６
【補正方法】変更
【補正の内容】
【０００６】
本発明の目的は、遊技の興趣を高めることである。
【手続補正７】
【補正対象書類名】明細書
【補正対象項目名】０００７
【補正方法】変更
【補正の内容】
【０００７】
以上の課題を解決するため、請求項１に記載の発明は、
遊技球が流下可能な遊技領域と、遊技を制御する遊技制御手段と、を備える遊技機において、
前記遊技領域に、
当該遊技領域の左側へ遊技球を発射することで入賞可能な第１始動入賞口と、
当該遊技領域の右側へ遊技球を発射することで入賞可能な第２始動入賞口と、を備え、
前記遊技制御手段は、
前記第１始動入賞口への入賞に基づき第１の変動表示ゲームを実行する第１変動表示ゲーム実行手段と、
前記第２始動入賞口への入賞に基づき第２の変動表示ゲームを実行する第２変動表示ゲーム実行手段と、
前記第１の変動表示ゲーム又は前記第２の変動表示ゲームの結果が特別結果となった場合に、特別遊技を発生させるように制御する特別遊技発生手段と、
前記第１の変動表示ゲーム又は前記第２の変動表示ゲームの結果が特定結果となった場合に、特定遊技を発生させるように制御する特定遊技発生手段と、を備え、
前記特別結果となる当選確率の状態には、第１当選確率の状態と、当該第１当選確率よりも高い第２当選確率の状態と、があり、
前記第１の変動表示ゲーム及び前記第２の変動表示ゲームには、前記特別結果となる当選確率の状態として同じ状態が設定され、
前記第１の変動表示ゲームにおける前記特定結果となる当選確率は、第３当選確率であり、当該第３当選確率は、前記第１の変動表示ゲームに設定されている前記特別結果となる当選確率の状態にかかわらず一定であり、
前記第２の変動表示ゲームにおける前記特定結果となる当選確率は、前記第３当選確率よりも高い第４当選確率であり、当該第４当選確率は、前記第２の変動表示ゲームに設定されている前記特別結果となる当選確率の状態にかかわらず一定であり、
（第１当選確率／第２当選確率）＞（第３当選確率／第４当選確率）の関係が成り立つように各当選確率が設定されることを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】変更
【補正の内容】
【００２８】
本発明によれば、遊技の興趣を高めることができる。
【手続補正２９】
【補正対象書類名】特許請求の範囲
【補正対象項目名】全文
【補正方法】変更
【補正の内容】
【特許請求の範囲】
【請求項１】
遊技球が流下可能な遊技領域と、遊技を制御する遊技制御手段と、を備える遊技機において、
前記遊技領域に、
当該遊技領域の左側へ遊技球を発射することで入賞可能な第１始動入賞口と、
当該遊技領域の右側へ遊技球を発射することで入賞可能な第２始動入賞口と、を備え、
前記遊技制御手段は、
前記第１始動入賞口への入賞に基づき第１の変動表示ゲームを実行する第１変動表示ゲーム実行手段と、
前記第２始動入賞口への入賞に基づき第２の変動表示ゲームを実行する第２変動表示ゲーム実行手段と、
前記第１の変動表示ゲーム又は前記第２の変動表示ゲームの結果が特別結果となった場合に、特別遊技を発生させるように制御する特別遊技発生手段と、
前記第１の変動表示ゲーム又は前記第２の変動表示ゲームの結果が特定結果となった場合に、特定遊技を発生させるように制御する特定遊技発生手段と、を備え、
前記特別結果となる当選確率の状態には、第１当選確率の状態と、当該第１当選確率よりも高い第２当選確率の状態と、があり、
前記第１の変動表示ゲーム及び前記第２の変動表示ゲームには、前記特別結果となる当選確率の状態として同じ状態が設定され、
前記第１の変動表示ゲームにおける前記特定結果となる当選確率は、第３当選確率であり、当該第３当選確率は、前記第１の変動表示ゲームに設定されている前記特別結果となる当選確率の状態にかかわらず一定であり、
前記第２の変動表示ゲームにおける前記特定結果となる当選確率は、前記第３当選確率よりも高い第４当選確率であり、当該第４当選確率は、前記第２の変動表示ゲームに設定されている前記特別結果となる当選確率の状態にかかわらず一定であり、
（第１当選確率／第２当選確率）＞（第３当選確率／第４当選確率）の関係が成り立つように各当選確率が設定されることを特徴とする遊技機。